(57)【要約】【課題】スクラッチカード２を、刃物３０と刃物台４０の間に挟み込み、搬送ローラー５０で搬送してカード上のスクラッチ隠蔽層２０を剥離するスクラッチカード剥離装置において、剥離されるスクラッチ隠蔽層２０の剥離片２２を収集し易く、かつカード等周辺に付着しないような形状にし、さらに刃物３０の先端でカード２表面や刃物台４０を傷めることのないスクラッチカード剥離装置の提供にある。【解決手段】刃物３０の刃角が５０〜７０°、仰角が１０〜２０°、逃げ角が１０〜２０°の範囲であり、刃物３０の刃先部分がＲ３〜２０μｍの丸味処理されている、もしくは幅５〜３０μｍの鈍化処理されているスクラッチカード剥離装置である。【選択図】図１
2006001158.tif 000002
【特許請求の範囲】
【請求項１】
スクラッチ隠蔽層が施されているスクラッチカードを、刃物と刃物台の間に挟み込み、搬送手段で引っ張り搬送して前記スクラッチ隠蔽層を剥離するスクラッチカード剥離装置において、前記刃物の刃角が５０〜７０°、仰角が１０〜２０°、逃げ角が１０〜２０°の範囲であることを特徴とするスクラッチカード剥離装置。
【請求項２】
前記刃物の刃先がＲ３〜２０μｍの丸味処理されている、もしくは幅５〜３０μｍの鈍化処理されていることを特徴とする請求項１記載のスクラッチカード剥離装置。
【請求項３】
前記刃物と刃物台との接点に、前記スクラッチカードの走行方向と逆方向に回転し、外周縁が軽く当たる軟質ブラシローラーが設けられていることを特徴とする請求項１乃至２のいずれかに記載のスクラッチカード剥離装置。
【請求項４】
前記回転する軟質ブラシローラーの下部で、該ブラシ先端に食い入るようにドクターブレードが当設されていることを特徴とする請求項３記載のスクラッチカード剥離装置。
【請求項５】
前記刃物の刃先が刃物台面から、搬送されるスクラッチカードの厚みよりやや狭い位置で停止される機構を有していることを特徴とする請求項１乃至２のいずれかに記載のスクラッチカード剥離装置。
【請求項６】
スクラッチ隠蔽層が施されているスクラッチカードを、刃物と刃物台の間に挟み込み、搬送手段で引っ張り搬送して前記スクラッチ隠蔽層を剥離するスクラッチカード剥離装置において、前記刃物台がスクラッチカードの走行方向に回転するローラー状でなり、該ローラー状の刃物台の外周にドクターブレードが当設されていることを特徴とするスクラッチカード剥離装置。
【請求項７】
前記刃物の刃角が５０〜７０°、仰角が１０〜２０°、逃げ角が１０〜２０°の範囲であることを特徴とする請求項６記載のスクラッチカード剥離装置。
【請求項８】
前記刃物の刃先がＲ３〜２０μｍの丸味処理されている、もしくは幅５〜３０μｍの鈍化処理されていることを特徴とする請求項６乃至７のいずれかに記載のスクラッチカード剥離装置。
【請求項９】
前記刃物の刃先が回転するローラー状の刃物台面から、搬送されるスクラッチカードの厚みよりやや狭い位置で停止される機構を有していることを特徴とする請求項６乃至８のいずれかに記載のスクラッチカード剥離装置。
【発明の詳細な説明】
【技術分野】
【０００１】
本発明は、スクラッチ隠蔽層を剥離するスクラッチカード剥離装置に関するものであり、さらに詳細には、刃物を用い素早く安全（カード面を傷めず）に、かつ剥離カスが確実に収集されるスクラッチカード剥離装置に関するものである。
【背景技術】
【０００２】
従来、例えば、インスタント抽選券やゲーム用カードなどにおいて、「当たり」、「外れ」あるいはそれに該当する絵柄などでなる個別（機密）情報を隠蔽するために、隠蔽性とスクラッチ性（引っ掻き易さ）を有し、凝集破壊性のあるゴム系のインキによりその個別情報を隠蔽し、購入した顧客がその使用に際し、コイン等でスクラッチオフ（引っ掻き落とすこと）してその個別情報を視認するスクラッチ印刷物が知られ、ゲーム用等を含め種々の分野で利用されている。
【０００３】
上記のスクラッチ隠蔽層が施された印刷物として、例えば紙やプラスチックシートでなる基材シート上に絵柄、文字、数字などの個別情報が印刷されていて、その個別情報を覆うようにスクラッチ隠蔽層が施されているスクラッチカードがあり、このスクラッチカードを購入した顧客や、場合によっては顧客が持ち込んだスクラッチカードを販売所等でまとめてコインや爪等でスクラッチ隠蔽層をスクラッチオフして、文字、数字などでなる個別情報や当落等を表す判定情報を目視で認識できるようになっている。
【０００４】
このように、特に販売所等では、大量のスクラッチカード等のスクラッチ隠蔽層を剥離（スクラッチオフ）する作業があり、この際コインや爪などを用いた人手によるものでは多くの時間と労力を要し、かつ剥離されたスクラッチ隠蔽層の屑が散乱し、周辺を汚すという問題があった。
【０００５】
上記問題点を解決するものとして、搬送路の上にスクレイパ（刃物）の先端が接触するよう配置し、その搬送路とスクレイパの間にスクラッチ券を通すことによって、簡単に素早く媒体のスクラッチ隠蔽層を剥がし、また、スクレイパの下部にスクラッチ隠蔽層の屑を集める収集箱を設けて、スクレイパ先端部によって剥がされたスクラッチ隠蔽層の屑は収集箱に収集されて散らばることを防止するようになっている。さらにスクレイパに押圧調整機構を持たせて厚さ・硬さの異なるスクラッチ券の剥離作業にも対応可能なスクラッチ券剥離機構がある（例えば、特許文献１参照。）。
【０００６】
以下に、上記先行技術文献を示す。
【特許文献１】特開２００３−４０５２０号公報
【発明の開示】
【発明が解決しようとする課題】
【０００７】
しかし、上記の従来技術（スクラッチ券剥離機構）においては、簡単に、かつ素早い剥離作業は可能であるが、剥離されたスクラッチ隠蔽層の屑は、細かく砕けたりしてカードやスクレイパ、搬送路等周辺にその粘着性と帯電等で付着し、カードとスクレイパの間に噛み込んで剥離性能を低下させたりし、収集箱への収集も儘ならないという問題があった。さらにスクレイパに押圧調整機構を持たせたものとして、カードの厚さ・硬さに対応可能としているが、このためスクレイパの刃先でカード表面の印刷面等を傷めたり、また、カードが通過した後の搬送路を傷めたりするという問題点があった。
【０００８】
本発明は、かかる従来技術の問題点を解決するものであり、その課題とするところは、スクラッチカードを、刃物と刃物台の間に挟み込み、搬送手段で引張り搬送してカード上のスクラッチ隠蔽層を剥離するスクラッチカード剥離装置において、剥離されるスクラッチ隠蔽層の屑を収集し易く、かつカード等周辺に付着しないような形状にし、さらに刃物の先端でカード表面や刃物台を傷めることのないスクラッチカード剥離装置を提供することにある。
【課題を解決するための手段】
【０００９】
本発明に於いて上記課題を達成するために、まず請求項１の発明では、スクラッチ隠蔽層が施されているスクラッチカードを、刃物と刃物台の間に挟み込み、搬送手段で引っ張り搬送して前記スクラッチ隠蔽層を剥離するスクラッチカード剥離装置において、前記刃物の刃角が５０〜７０°、仰角が１０〜２０°、逃げ角が１０〜２０°の範囲であることを特徴とするスクラッチカード剥離装置としたものである。
【００１０】
また、請求項２の発明では、前記刃物の刃先部分がＲ３〜２０μｍの丸味処理されている、もしくは幅５〜３０μｍの鈍化処理されていることを特徴とする請求項１記載のスクラッチカード剥離装置としたものである。
【００１１】
また、請求項３の発明では、前記刃物と刃物台との接点に、前記スクラッチカードの走行方向と逆方向に回転し、外周縁が軽く当たる軟質ブラシローラーが設けられていることを特徴とする請求項１乃至２のいずれかに記載のスクラッチカード剥離装置としたものである。
【００１２】
また、請求項４の発明では、前記回転する軟質ブラシローラーの下部で、該ブラシ先端に食い入るようにドクターブレードが当設されていることを特徴とする請求項３記載のスクラッチカード剥離装置としたものである。
【００１３】
また、請求項５の発明では、前記刃物の刃先が刃物台面から、搬送されるスクラッチカードの厚みよりやや狭い位置で停止される機構を有していることを特徴とする請求項１乃至２のいずれかに記載のスクラッチカード剥離装置としたものである。
【００１４】
また、請求項６の発明では、スクラッチ隠蔽層が施されているスクラッチカードを、刃物と回転するローラー状の刃物台の間に挟み込み、搬送手段で引っ張り搬送して前記スクラッチ隠蔽層を剥離するスクラッチカード剥離装置であって、前記ローラー状の刃物台がスクラッチカードの走行方向に準じて回転し、該回転方向に対し先端が対向するように当設しているドクターブレードを設けたことを特徴とするスクラッチカード剥離装置としたものである。
【００１５】
また、請求項７の発明では、前記刃物の刃角が５０〜７０°、仰角が１０〜２０°、逃げ角が１０〜２０°の範囲であることを特徴とする請求項６記載のスクラッチカード剥離装置としたものである。
【００１６】
また、請求項８の発明では、前記刃物の刃先部分がＲ３〜２０μｍの丸味処理されている、もしくは幅５〜３０μｍの鈍化処理されていることを特徴とする請求項６乃至７のいずれかに記載のスクラッチカード剥離装置としたものである。
【００１７】
さらにまた、請求項９の発明では、前記刃物の刃先が回転するローラー状の刃物台面から、搬送されるスクラッチカードの厚みよりやや狭い位置で停止される機構を有していることを特徴とする請求項６乃至８のいずれかに記載のスクラッチカード剥離装置としたものである。
【発明の効果】
【００１８】
本発明は以上の構成であるから、下記に示す如き効果がある。
【００１９】
即ち、上記請求項１に係る発明によれば、スクラッチ隠蔽層が施されているスクラッチカードを、刃物と刃物台の間に挟み込み、搬送手段で引っ張り搬送して前記スクラッチ隠蔽層を剥離するスクラッチカード剥離装置において、前記刃物の刃角を５０〜７０°、仰角を１０〜２０°、逃げ角を１０〜２０°の範囲とすることによって、スクラッチカードから剥離されたスクラッチ隠蔽層の剥離片（削りカス）を削り方向に小さく丸めることができ、従来のように剥離片が細かく砕けたりしてカードや刃物等周辺に付着するようなことが無くなり、剥離片の排出、回収を容易にするスクラッチカード剥離装置とすることができる。
【００２０】
また、上記請求項２に係る発明によれば、前記刃物の刃先部分をＲ３〜２０μｍの丸味処理を施したものとし、もしくは幅５〜３０μｍの鈍化処理したものとすることによって、スクラッチカードの表面あるいは表面の印刷面を刃先で傷めることのないスクラッチカード剥離装置とすることができる。
【００２１】
また、上記請求項３に係る発明によれば、前記刃物と刃物台との接点に、前記スクラッチカードの走行方向と逆方向に回転し、外周縁が軽く当たる軟質ブラシローラーを設けたことによって、剥離されたスクラッチ隠蔽層の剥離片を排出し易いように丸めるとともにスクラッチカードが通過した後、刃物等付近の剥離片残りカスを回転する軟質ブラシローラーで排除するスクラッチカード剥離装置とすることができる。
【００２２】
また、上記請求項４に係る発明によれば、前記回転する軟質ブラシローラーの下部で、その先端に食い入るようにドクターブレードを当設することによって、ブラシ自体に付着した剥離片カスを自動的に除去することができる。
【００２３】
さらにまた、上記請求項５に係る発明によれば、前記刃物の刃先を刃物台面から、搬送されるスクラッチカードの厚みよりやや狭い位置で停止させる機構とすることによって、スクラッチ隠蔽層を削りとることができるとともに、スクラッチカードが通過した後、従来のような刃物に押圧調整機構を持たせた単純な押し付けでは刃先が刃物台に突き当たるといった弊害（傷等）を防止するスクラッチカード剥離装置とすることができる。
【００２４】
また、上記請求項６に係る発明によれば、スクラッチ隠蔽層が施されているスクラッチカードを、刃物と回転するローラー状の刃物台の間に挟み込み、搬送手段で引っ張り搬送して前記スクラッチ隠蔽層を剥離するスクラッチカード剥離装置であって、前記ローラー状の刃物台がスクラッチカードの走行方向に準じて回転し、該回転方向に対しドクターブレードの先端を対向するように当設せしめることによって、刃物で剥離されたスクラッチ隠蔽層の剥離片（削りカス）は、刃物に押されてスクラッチカード上に溜まるようになるが、剥離終了とともにローラー状の刃物台の外周面に付着し、この付着した剥離片をドクターブレードによって掻き取られて排出するスクラッチカード剥離装置とすることができる。
【００２５】
また、上記請求項７に係る発明によれば、前記刃物の刃角を５０〜７０°、仰角を１０〜２０°、逃げ角を１０〜２０°の範囲とすることによって、スクラッチカードから剥離されたスクラッチ隠蔽層の剥離片（削りカス）を削り方向に小さく丸めることができ、従来のように剥離片が細かく砕けたりしてカードや刃物等周辺に付着するようなことが無くなり、この剥離片をローラー状の刃物台に丸められた状態で付着させることができ、よって、より剥離片の排出、回収を容易にするスクラッチカード剥離装置とすることができる
。
【００２６】
また、上記請求項８に係る発明によれば、前記刃物の刃先部分をＲ３〜２０μｍの丸味処理を施したものとし、もしくは幅５〜３０μｍの鈍化処理したものとすることによって、スクラッチカードの表面あるいは表面の印刷面を刃先で傷めることのないスクラッチカード剥離装置とすることができる。
【００２７】
さらにまた、上記請求項９に係る発明によれば、前記刃物の刃先をローラー状の刃物台面から、搬送されるスクラッチカードの厚みよりやや狭い位置で停止させる機構とすることによって、スクラッチ隠蔽層を削りとることができるとともに、スクラッチカードが通過した後、従来のような刃物に押圧調整機構を持たせた単純な押し付けでは刃先がローラー状の刃物台に突き当たるといった弊害（傷等）を防止するスクラッチカード剥離装置とすることができる。
【００２８】
従って本発明は、スクラッチカードのスクラッチ隠蔽層を簡便で素早く、かつスクラッチ隠蔽層の剥離片を容易に排出・収集できるスクラッチカード剥離装置として、優れた実用上の効果を発揮する。
【発明を実施するための最良の形態】
【００２９】
以下本発明を実施するための最良の形態を図面を用いて詳細に説明する。
【００３０】
図１は、本発明のスクラッチカード剥離装置の一事例を示す側面概略図であり、図２は、本発明のスクラッチカード剥離装置の他の一事例を示す側面概略図である。また図３は、本発明のスクラッチカード剥離装置を構成する刃物の角度等状態を示す側面概略図であり、図４は、本発明のスクラッチカード剥離装置を構成する刃物の刃先の状態を示す側面概略図である。また図５から図９は、本発明のスクラッチカード剥離装置を用いてスクラッチ隠蔽層を剥離する事例を示す側面概略図である。
【００３１】
本発明は、例えば図１に示すように、刃物（３０）とその下の刃物台（４０）と、後方の１対の搬送ローラー（５０）とでなり、スクラッチ隠蔽層（２０）が施されているスクラッチカード（２）を、その刃物（３０）と上面が平らな刃物台（４０）の間に挟み込み、さらに後方の搬送ローラー（５０）間を走行させ、このとき、刃物（３０）でスクラッチカード（２）のスクラッチ隠蔽層（２０）を剥離するようにしたスクラッチカード剥離装置である。
【００３２】
また、本発明のスクラッチカード剥離装置の他の形態として、例えば図２に示すように、刃物（３０）とその下の回転する刃物台（４０）と、後方の１対の搬送ローラー（５０）とでなり、スクラッチ隠蔽層（２０）が施されているスクラッチカード（２）を、その刃物（３０）と回転するローラー状の刃物台（４２）の間に挟み込み、さらに後方の搬送ローラー（５０）間を走行させ、このとき、刃物（３０）でスクラッチカード（２）のスクラッチ隠蔽層（２０）を剥離するようにしたスクラッチカード剥離装置である。
【００３３】
そこで、上記請求項１に係る発明は、例えば図３に示すように、刃物（３０）の刃角（ａ）を５０〜７０°、その仰角（ｂ）を１０〜２０°、逃げ角（ｃ）を１０〜２０°の範囲とするスクラッチカード剥離装置である。
【００３４】
このように、刃物（３０）の各角度（ａ、ｂ、ｃ）を上記のようにすることによって、図３に示すように、スクラッチカード（２）から剥離されたスクラッチ隠蔽層（２０）の剥離片（２２）が削り方向に小さく丸めることができ、そのためこの丸められた剥離片（２２）は容易に排出・回収されるようにしたスクラッチカード剥離装置とするものである
。
【００３５】
また、上記請求項２に係る発明は、例えば図４（ａ）に示すように、刃物（３０）の先端部分に３〜２０μｍの丸み（Ｒ）を設けたものであり、この丸み（Ｒ）を持った先端とすることによって、スクラッチカード（２）の表面、特に「当たり」「外れ」等個別情報を含め表面の印刷層を傷めずにスクラッチ隠蔽層（２０）を剥離することができるようにしたものである。
【００３６】
上記刃物（３０）の先端部分の丸み（Ｒ）が３μｍに満たないと、スクラッチカードの表面に傷が付く危惧があり、２０μｍを越えるとスクラッチ隠蔽層（２０）の剥離がしにくくなるので好ましくない。
【００３７】
さらにまた、上記請求項２に係る発明では、例えば図４（ｂ）に示すように、刃物（３０）の先端部分に５〜３０μｍの鈍化処理幅（Ｗ）を施したスクラッチカード剥離装置であり、この鈍化処理幅（Ｗ）を持った先端とすることによって、スクラッチカード（２）の表面、特に「当たり」「外れ」等個別情報を含め表面の印刷層を傷めずにスクラッチ隠蔽層（２０）を剥離することができるようにしたものである。
【００３８】
上記刃物（３０）の先端部分の鈍化処理幅（Ｗ）が５μｍに満たないと、スクラッチカードの表面に傷が付く危惧があり、３０μｍを越えるとスクラッチ隠蔽層（２０）の剥離がしにくくなるので好ましくない。
【００３９】
また、上記請求項３に係る発明では、例えば図５に示すように、刃物（３０）と、刃物台（４０）と、スクラッチカード（２）との接点に外周縁が軽く当たる軟質ブラシローラー（５２）を設け、この軟質ブラシローラー（５２）はスクラッチカード（２）の走行方向（Ｐ）と逆方向に回転させる。この回転は、後方の１対の搬送ローラー（５０）の駆動からベルト（５１）を介して伝達することもできる。
【００４０】
このように軟質ブラシローラー（５２）を設けることによって、例えば図６（ａ）に示すように、スクラッチカード（２）から剥離された剥離片（２２）を回転する軟質ブラシローラー（５２）の先端で引っ掻き方向に丸めて排出し易いようにし、図６（ｂ）に示すように、スクラッチカード（２）が刃物（３０）から通り抜けた後、刃物（３０）や刃物台（４０）等付近の剥離片残りカス（２２ａ）を除去することができる。
【００４１】
さらに上記請求項４に係る発明では、例えば図６（ｃ）に示すように、軟質ブラシローラー（５２）の下部で、回転する方向に向かって、その先端に食い入るようにドクターブレード（５４）を当設したものである。
【００４２】
このように、軟質ブラシローラー（５２）にドクターブレード（５４）を設けることによって、ブラシ自体に付着した剥離片カス（２２ｃ）をも自動的に除去することができる。
【００４３】
また、上記請求項５に係る発明は、例えば図７に示すように、刃物（３０）の刃先を、刃物台（４０）の上面から、通過させるスクラッチカード（２）の厚み（Ｄ）よりやや狭い位置、即ち刃物（３０）の刃先と刃物台（４０）の上面との距離（Ｅ）が通過させるスクラッチカード（２）の厚み（Ｄ）よりやや小さい値となるようにしたものである。
【００４４】
さらに具体的には、例えば図７に示すように、刃物（３０）は、上部の駆動力（Ｋ）からスプリング（３５）を介して刃物台（４０）上のスクラッチカード（２）に押し当てられるが、刃物（３０）の上端の突起部（３０ａ）が調整可能な固定部（３３）に突き当た
り、刃物台（４０）上面に対しスクラッチカード（２）の厚み（Ｄ）よりやや小さい上面との距離（Ｅ）に相当する間隔で停止するようにしたもので、この距離（Ｅ）は、スクラッチカード（２）の基材の種類（紙、ＰＶＣ、ＰＥＴ等）やその厚み（Ｄ）等も考慮するなどして、カード（２）の厚み（Ｄ）を適宜設計してよい。
【００４５】
上記のようにすることによって、スクラッチカード（２）上のスクラッチ隠蔽層（２０）をスクラッチオフすることができるとともに、スクラッチカード（２）が通過した後、単純な刃物（３０）の押し付けで起こる弊害（刃先が刃物台（４０）に突き当たり、刃先を傷めること）を防止することができる。
【００４６】
また、上記請求項６に係る発明は、例えば図２に示すように、スクラッチ隠蔽層（２０）が施されているスクラッチカード（２）を、刃物（３０）と回転するローラー状の刃物台（４２）の間に挟み込み、１対の搬送ローラー（５０）で引っ張り搬送し、スクラッチ隠蔽層（２０）を剥離するスクラッチカード剥離装置で、ローラー状の刃物台（４２）はスクラッチカード（２）の走行方向（Ｐ）に準じて回転し、その回転方向（Ｑ）に対し、先端が対向するように当設しているドクターブレード（４７）を設けたスクラッチカード剥離装置である。
【００４７】
このように、回転するローラー状の刃物台（４２）の回転方向（Ｑ）に対しドクターブレード（４７）当設せしめることによって、例えば図８（ａ）に示すように、刃物（３０）で剥離されたスクラッチ隠蔽層（２０）の剥離片カス（２２ｃ）は、刃物（３０）に押されてスクラッチカード（２）上に溜まるようになるが、図８（ｂ）に示すように、剥離終了とともに刃物（３０）を外し、スクラッチカード（２）が通過すれば、ローラー状の刃物台（４２）の外周面にまとまって付着するようになり、さらにローラー状の刃物台（４２）が回転して図８（ｃ）に示すように、剥離片カス（２２ｃ）がドクターブレード（４７）で掻き取られ、剥離片収集箱（図示せず）等へ排出除去されるようになり、次のスクラッチカードの供給時には清掃されたローラー状の刃物台（４２）となる。
【００４８】
上記請求項７に係る発明は、例えば図９に示すように、回転するローラー状の刃物台（４２）上を走行するスクラッチカード（２）のスクラッチ隠蔽層（２０）を剥離する刃物（３０）の刃角（ａ）を５０〜７０°、その仰角（ｂ）を１０〜２０°、逃げ角（ｃ）を１０〜２０°の範囲とするスクラッチカード剥離装置である。
【００４９】
また、上記請求項８に係る発明は、特に図示しないが上記請求項２に係る発明の上面が平坦な刃物台に代え回転するローラー状の刃物台としたもので、同様に上記請求項９に係る発明も上記請求項５に係る発明の刃物台に代え回転するローラー状の刃物台としたものであり、その効果も略同様なものである。
【００５０】
以下に本発明のスクラッチカード剥離装置に用いられるスクラッチカードの材料等について説明する。
【００５１】
本発明に関わるスクラッチカードは、例えば図１０に示すように、プラスチック等でなる基材シート（１０）上に、文字、数字等でなる個別情報（１２）が印刷されていて、この個別情報（１２）を覆うように透明ニスでなる易剥離層（１４）が個別情報（１２）の保護とこの上に形成するスクラッチオフ性と隠蔽性を兼ね備えたスクラッチ隠蔽層（２０）の剥離性を良くするために形成されてスクラッチカード（２）としているのが一般的である。
【００５２】
また、スクラッチゲームカードなどでは、前記のスクラッチ隠蔽層（２０）上にチタン白を主体とした白色インキで白色隠蔽層（図示せず）を設け、当落や等級等を表す判定（
判別）情報上のスクラッチ隠蔽層（２０）の存在を隠す場合があるが、このような場合は、販売所等で上記本発明のスクラッチカード剥離装置が有用になる。
【００５３】
上記スクラッチカード（２）を構成する基材シート（１０）としては、例えば、インスタントスクラッチ券等で使用されている上質紙やコート紙などが挙げられ、またテレフォンカードなどに用いられている白色ポリエチレンテレフタレート（ＰＥＴ）やクレジットカードなどに用いられている白色塩化ビニル（ＰＶＣ）が挙げられる。
【００５４】
また、上記基材シート（１０）の所定の位置に数字、記号、文字等の個別情報（１２）を、例えばサーマルヘッドによる感熱転写方式、インキジェット方式、レーザー等によるトナー転写方式あるいはドットインパクト方式等で形成される。
【００５５】
上記個別情報（１２）上に、スクラッチ隠蔽（２０）のスクラッチ（剥離）性の確保と個別情報（１２）の保護を兼ねた易剥離層（１４）を設けるのが一般的で、この易剥離層（１４）としては、例えばポリウレタンアクリル樹脂、ポリアミド樹脂、ニトロセルロース樹脂に添加剤としてシリコンやワックス（ポリエチレンワックス等）を５％以下添加したものをスクリーン印刷、グラビア印刷方式等で部分塗布して得られる。
【００５６】
また、上記スクラッチ隠蔽（２０）としては、スクラッチインキを用いてスクリーン印刷法やグラビア印刷法あるいはアニロックスロールを介して印刷するフレキソ印刷法で厚さ５〜１０μｍに形成されるが、そのスクラッチインキの組成は、例えば隠蔽性を付与するアルミニウム粉１５〜２５重量部、アルミナ白等体質顔料を含めた着色顔料１５〜２５重量部、凝集破壊（団塊）性のあるＳＢＲ、ＮＢＲ等合成ゴム系樹脂１５〜２５重量部、これらにトルエンやキシレン、メチルイソブチルケトン等芳香族炭化水素系溶剤３５〜４５重量部と消泡剤等助剤５〜１５重量部を加えてスクリーン印刷用インキやグラビア印刷用インキあるいはフレキソ印刷用インキとするものである。
【図面の簡単な説明】
【００５７】
【図１】本発明のスクラッチカード剥離装置の一実施の形態を示す側面概略図である。
【図２】本発明のスクラッチカード剥離装置の他の一実施の形態を示す側面概略図である。
【図３】本発明のスクラッチカード剥離装置を構成する刃物の角度等形状の一実施の形態を示す側面概略図である。
【図４】本発明のスクラッチカード剥離装置を構成する刃物の刃先の形状の一実施の形態を示すもので、（ａ）は、丸みを表す側面概略図であり、（ｂ）は、鈍化処理を表す側面概略図である。
【図５】本発明のスクラッチカード剥離装置に軟質ブラシローラーを備えた一実施の形態を示す側面概略図である。
【図６】本発明のスクラッチカード剥離装置に軟質ブラシローラーを備えた場合の効果の形態を示すもので、（ａ）、（ｂ）、（ｃ）はその工程を示す側面概略図である。
【図７】本発明のスクラッチカード剥離装置に刃物の下降停止機構を備えた一事例を示す側面概略図である。
【図８】本発明のスクラッチカード剥離装置を構成する刃物台がロール状の刃物台とした場合の効果の形態を示す側面概略図である。
【図９】本発明のスクラッチカード剥離装置を構成する刃物の角度等形状の他の一実施の形態を示す側面概略図である。
【図１０】本発明のスクラッチカード剥離装置に使用されるスクラッチカードの一事例を側断面で表した説明図でる。
【符号の説明】
【００５８】
２‥‥スクラッチカード
１０‥‥基材シート
１２‥‥個別情報
１４‥‥易剥離層
２０‥‥スクラッチ隠蔽層
２２‥‥剥離片
２２ａ‥‥剥離片残りカス
２２ｃ‥‥剥離片カス
３０‥‥刃物
３０ａ‥‥突起部
３３‥‥調整可能な固定部
３５‥‥スプリング
４０‥‥上面が平坦な刃物台
４２‥‥ロール状の刃物台
４７‥‥刃物台用ドクターブレード
５０‥‥搬送ローラー
５１‥‥ベルト
５２‥‥軟質ブラシローラー
５４‥‥ブラシローラー用ドクターブレード
Ｄ‥‥スクラッチカードの厚み
Ｅ‥‥刃先と刃物台の距離
Ｋ‥‥駆動力
Ｐ‥‥スクラッチカードの走行方向
Ｑ‥‥ロール状刃物台の回転方向
Ｒ‥‥刃先の丸み
Ｗ‥‥鈍化処理幅
ａ‥‥刃物の刃角
ｂ‥‥刃物の仰角
ｃ‥‥刃物の逃げ角
【図１】
2006001158.tif 000003
【図２】
2006001158.tif 000004
【図３】
2006001158.tif 000005
【図４】
2006001158.tif 000006
【図５】
2006001158.tif 000007
【図６】
2006001158.tif 000008
【図７】
2006001158.tif 000009
【図８】
2006001158.tif 000010
【図９】
2006001158.tif 000011
【図１０】
2006001158.tif 000012